(57)【要約】【課題】蓋の開閉を音により確認できるようにするとともに、注出中に蓋が不用意に閉蓋方向に回動しないようにする。【解決手段】容器口部に装着される本体１と、該本体にヒンジ３を介して連結された蓋５と、を備えたヒンジキャップＨにおいて；前記ヒンジ３の近傍の内側に、蓋５の開閉動作時に互いに当接して係脱音を発する振音部材８と加振部材２０とが設けられている。【選択図】　図３
2004142768.tif 000002
【特許請求の範囲】
【請求項１】
容器口部に装着される本体と、該本体にヒンジを介して連結された蓋と、を備えたヒンジキャップにおいて；
前記ヒンジの近傍の内側に、蓋の開閉動作時に互いに当接して係脱音を発する振音部材と加振部材とが設けられていることを特徴とするヒンジキャップ。
【請求項２】
振音部材は、本体の天面部、又は、蓋の天板部の裏面のいずれか一方に突設され、加振部材は、その他方に突設されていることを特徴とする請求項１記載のヒンジキャップ。
【請求項３】
振音部材は、水平受圧部を有する複数の振音片からなり、加振部材は、水平加圧部と通穴とを有する加振片であることを特徴とする請求項１、又は、２記載のヒンジキャップ。
【請求項４】
振音部材は、垂直支持部と水平受圧部とを有する振音片であり、加振部材は、水平加圧部を有する板状の加振片であることを特徴とする請求項１、又は、２記載のヒンジキャップ。
【請求項５】
振音部材は、本体の天面部に設けられた、平行支持リブの両側の振音片であり、加振部材は、蓋のスカートの内面の両側に突設された加振片であることを特徴とする請求項１、又は、２記載のヒンジキャップ。
【請求項６】
振音部材は、天面部の方形リブの短辺内側に、互いに対向して設けられた振音片であり、加振部材は、蓋の天板部の裏面に配設した、平行支持リブの両側に設けられた加振片であることを特徴とする請求項１、又は、２記載のヒンジキャップ。
【発明の詳細な説明】
【０００１】
【発明の属する技術分野】
この発明は、容器の口部に装着されるキャップに関するものであり、更に述べると、ヒンジキャップに関するものである。
【０００２】
【従来の技術】
容器口部に装着されるヒンジキャップは、キャップ本体と、上蓋と、該キャップ本体と該上蓋とを連結するヒンジと、を備えている。そして、容器の内容物が必要なときには、前記上蓋を指で押し上げてキャップ本体から外した後、該容器を傾けて注出口から前記内容物を抽出している。
【０００３】
ところが、このキャップでは、注出の最中に、前記上蓋が自重により閉方向に回動し、注出を妨げることがある。
そこで、この問題を解決するために、次のようなヒンジキャップが用いられている（例えば、特許文献１参照）。即ち、
【０００４】
容器口頸部に係合される円筒状部品と、該円筒状部品と係合して容器口部を覆う円形冠帽部と、これら円筒状部品と冠帽部とを連結する連結部とからなり、該連結部は、該円筒状部品及び円形冠帽部の周壁からそれぞれの直径方向外側に向かって間隔をおいて、同長に突出し、その端部で一体になり、該端部が屈曲自在の蝶番部分になっている１組の突出片からなる一体係合樹脂製蓋において；該円筒状部分は、少なくともそれの周壁から突出する前記１組の突出片の間に、該周壁から該段部の直径方向内側に向かう段部を有し、該円形冠帽部はその周壁から突出する前記１組の突出片の間に、該周壁から斜め下方、且つ直径方向外側に突出する一体成形の係止片をもち、前記連結部の蝶番部分を中心にして該冠帽部を開く方向に回動すると、該係止片の先端が前記円筒状部品の周壁と接触し、更に該冠帽部を回動すると、該周壁を乗り越え、この位置から該冠帽部を閉じる方向に回動すると、該係止片の先端が前記円筒状部品の段部と接触し、更に該冠帽部を回動すると、該段部を乗り越えて閉止位置に至る構成を備えている係止片付き合成樹脂蓋。
【０００５】
【特許文献１】
昭和５７年実用新案出願公告第３９３３０号公報（特許請求の範囲）
【０００６】
従来例には、次の様な問題がある。
（１）注出中に、上蓋が不用意に閉じるのを防止するための手段が、キャップの外側に設けられているので、該手段が突出し外観上好ましくない。
（２）注出中に、視覚により上蓋の開閉を確認できるが、聴覚ではそれを確認することは出来ない。従って、視聴覚障害者にとって上蓋が内容物の注出に邪魔にならない位置まで充分開いたかどうか確認することが困難である。
【０００７】
この発明は、上記事情に鑑み、蓋の開閉を音により確認できると共に、外観の良好なキャップを提供することを目的とする。他の目的は、注出中に蓋が不用意に閉蓋方向に回動しないようにすることである。
【０００８】
この発明は、容器口部に装着される本体と、該本体にヒンジを介して連結された蓋と、を備えたヒンジキャップにおいて；前記ヒンジの近傍の内側に、蓋の開閉動作時に互いに当接して係脱音を発する振音部材と加振部材とが設けられていることを特徴とする。
【０００９】
この発明の振音部材は、本体の天面部、又は、蓋の天板部の裏面のいずれか一方に突設され、加振部材は、その他方に突設されていることを特徴とする。　この発明の振音部材は、水平受圧部を有する複数の振音片からなり、加振部材は、水平加圧部と通穴とを有する加振片であることを特徴とする。この発明の振音部材は、垂直支持部と水平受圧部とを有する振音片であり、加振部材は、水平加圧部を有する板状の加振片であることを特徴とする。
【００１０】
この発明の振音部材は、本体の天面部に設けられた、平行支持リブの両側の振音片であり、加振部材は、蓋のスカートの内面の両側に突設された加振片であることを特徴とする。この発明の振音部材は、天面部の方形リブの短辺内側に、互いに対向して設けられた振音片であり、加振部材は、蓋の天板部の裏面に配設した、平行支持リブの両側に設けられた加振片であることを特徴とする。
【００１１】
【発明の実施の形態】
この発明の発明の実施の形態１を図１〜図４により説明する。
ヒンジキャップＨは、合成樹脂により一体成形され、容器の口部に装着される本体１と、該本体１にヒンジ３を介して連結された蓋５と、を備えている。
【００１２】
本体１の天面部２の外周部には、リング状の嵌合溝６が設けられ、ヒンジ３の近傍には、振音部材８が垂直状に立設されている。この振音部材８は、先端が水平受圧部８ａをなす板状の振音片であり、ヒンジ３の中心線３ｃと平行に、間隔をおいて２個設けられているが、この振音片８は、ヒンジキャップＨの中心線ＨＣに対し軸対象に配設されている。この振音片８の肉厚や突出高さ等は必要に応じて適宜選択される。
【００１３】
振音片８の近傍には、ガイド部１０が設けられているが、このガイド部１０は、蓋５の開閉動作中に、蓋５のスカート１２の開口溝１２ａと遊嵌合しながら蓋５の横揺れを防止する。天面部２には、注口１４が設けられているが、この注口１４は、ヒンジ３と反対側に配設されている。
【００１４】
蓋５の天板１６には、開口溝１２ａを有するスカート１２が設けられている。このスカート１２は、閉蓋時に前記嵌合溝６に嵌着するが、嵌着時には、パチッという嵌着音が発生する。
蓋５の天板部１６の裏面には、加振部材２０と注出口閉塞体２２とが垂直状に立設されている。加振部材２０は、ヒンジ３の近傍に配設された鳥居型の加振片であり、水平加圧部２０ａと通穴２０ｂとを備えている。
【００１５】
加振部材２０の突出高さは、蓋５の回動により前記水平加圧部２０ａと前記振音部材８の水平受圧部８ａとが当接し、前記回動がストップ状態になった時に、蓋５が注出の邪魔にならない様な位置になる様な高さが選ばれる。即ち、前記ストップ状態になったときには、天面部２に対する天板部１６の一時停止角度θは、例えば、約９０°であるが、この角度θは、必要に応じて適宜選択される。
【００１６】
注出口閉塞体２２は、注口１４に嵌着する円筒体であり、ヒンジ３と反対側に設けられている。２４は、つば部、２５は、ねじ部、をそれぞれ示す。
【００１７】
次に、本実施の形態の作動について説明する。
蓋を閉める場合。
図１に示すように、開蓋状態の蓋５の天板部１６を本体１に向かって押圧すると、該蓋５は、閉蓋方向に向かって回動するが、一時停止角度θまで回転すると、加振部材２０の水平加圧部２０ａが振音部材８の水平受圧部８ａに当接し、図４の状態になる。
【００１８】
更に同方向に蓋５を押すと、水平加圧部２０ａは、水平受圧部８ａを押圧した後、急激に離れるので、該振音片８は振動して「カチッ」という係脱音を発する。この係脱音は、２つの振音片から発生するので、振音片が１個の場合に比べ、大きな音となる。
【００１９】
更に蓋５を同方向に押すと、注出口閉塞体２２は注口１４に嵌着され、また、スカート１２は、「パチッ」という嵌着音をたてながら嵌合溝６に嵌着される。この時、振音片８は、通孔２０ｂ内を通過するので、蓋５の回動を妨げることはない。
【００２０】
蓋を開く場合。
閉蓋状態の蓋５のつば部２４に指をかけ、該蓋５をヒンジ３側に回動させると、スカート１２は、「パチッ」という音を発して嵌合溝６から離れるとともに、リブ２２は注口１４から抜け出す。
【００２１】
そして、蓋５が、一時停止角度θになると、加振部材２０の水平加圧部２０ａが振音部材８の水平受圧部８ａに当接する。
【００２２】
更に同方向に蓋５を押すと、水平加圧部２０ａは、水平受圧部８ａを押圧した後、急激に離れるので、該振音片８は振動して「カチッ」という係脱音を発する。この係脱音は、２つの振音片から発生するので、振音片が１個の場合に比べ、大きな音となる。この時、蓋５は図４に示すように、注出に支障のない状態になる。即ち、前記係脱音は、充分に蓋が開いたことを知らせることになる。
【００２３】
この状態で、容器を傾けて内容物を注口１４から注出させるが、振音片８の水平受圧部８ａが加振片２０の水平加圧部２０ａと当接しているので、自重により蓋５が閉方向に回動することはない。そのため、注出中に不用意に蓋が閉まることはないので、円滑に注出作業を行うことが出来る。
【００２４】
この発明の実施の形態２を図５〜図７により説明するが、図１〜図４と同一図面符号は、その名称も機能も同一である。
この実施の形態と前記実施の形態１との主な相違点は、次の通りである。
（１）振音部材３０が、垂直支持部３０ａと水平受圧部３０ｂとから構成される振音片であり、又、加振部材３２が、先端に水平加圧部３２ａを有する板状の加振片であること。
【００２５】
この実施の形態では、加振部材の水平加圧部３２ａは、閉蓋動作時に振音部材３０の水平受圧部３０ｂを下方に押圧し、又、開蓋動作時に、前記水平受圧部３０ｂを上方に押し上げて振動させる。
（２）一時停止角度θが、８５度であること。
【００２６】
なお、振音部材３０は、上記形状に限定されるものではなく、例えば、次の様に形成しても良いが、この変形例は、いずれも加振部材３２との係脱を円滑にするためのものである。
ａ．図面８に示すように、水平受圧部３０ｂの先端を円弧状面３０ｃに形成する。
【００２７】
ｂ．図９に示すように、水平受圧部３０ｂの先端を下方に折り曲げて垂下部３０ｄを形成する。
ｃ．図１０に示すように、水平受圧部３０ｂの先端部下面に円弧状凸部３０を形成する。
【００２８】
この発明の実施の形態３を図１１により説明するが、図１〜図４と同一図面符号は、その名称も機能も同一である。
この実施の形態と前記実施の形態１との主な相違点は、次の通りである。
（１）振音部材３５が、平行支持リブ３６の両側に突設された振音片であり、又、加振部材３７が、蓋５のスカート１２の内面両側に突設された加振片であること。
【００２９】
この実施の形態では、加振片３７は、閉蓋動作時に振音片３５を下方に押圧し、又、開蓋動作時に、前記振音片３５を上方に押し上げて振動させる。
【００３０】
この発明の実施の形態４を図１２により説明するが、図２と同一図面符号は、その名称も機能も同一である。
この実施の形態と前記実施の形態３との主な相違点は、次の通りである。
振音部材４０が、方形リブ４１の内面に対向して設けられた振音片であり、又、加振部材４３が、平行支持リブ４２の両側に突設された加振片であること。この平行支持リブ４２は、蓋５の天板面の裏面に設けられている。
【００３１】
この実施の形態では、加振片４３は、閉蓋動作時に振音片４０を下方に押圧し、又、開蓋動作時に、前記振音片４０を上方に押し上げて振動させる。
【００３２】
この発明の実施の形態は、上記に限定されるものではなく、例えば、振音部材を本体の天面部に設け、加振部材を蓋の天板部の裏面に設ける代わりに、逆、即ち、加振部材を本体の天面部に設け、振音部材を蓋の天板部の裏面に設てもよい。
【００３３】
【発明の効果】
この発明は、ヒンジの近傍の内側に、蓋の開閉動作中に互いに当接して係脱音を発する振音部材と加振部材とを設けたので、蓋の開閉時に係脱音が発生する。そのため、聴覚により蓋が内容物の注出に邪魔にならない位置まで開いたかどうかを確認したり、開閉動作中であることを確認することが出来る。
【００３４】
又、開蓋動作中に一時停止角度になると、振音部材と加振部材と係合するので、自重により蓋が閉方向に回動するのを防止することが出来る。そのため、注出中、確実に開蓋状態を維持することが出来るので、注出作業を円滑に行うことが出来る。更に、振音部材と加振部材とが、ヒンジキャップの内側に設けられているので、従来例に比べ、外観を良くすることができる。
【図面の簡単な説明】
【図１】本発明の実施の形態１を示す平面図である。
【図２】正面図の一部縦断面図である。
【図３】図１の要部拡大図である。
【図４】図２の他の状態を示す要部拡大断面図である。
【図５】本発明の実施の形態２を示す縦断面図である。
【図６】平面図の一部を示す図である。
【図７】図５の他の状態を示す縦断面図である。
【図８】振音部材の他の実施の形態を示す拡大断面図である。
【図９】振音材の他の実施の形態を示す拡大断面図である。
【図１０】振音部材の他の実施の形態を示す拡大断面図である。
【図１１】本発明の実施の形態３を示す平面図の一部を示す図である。
【図１２】本発明の実施の形態４を示す平面図の一部を示す図である。
【符号の説明】
１　　本体
２　　天面部
３　　ヒンジ
５　　蓋
８　　振音部材
１２　　　　　スカート
１６　　　　　天板部
２０　　　　加振部材
【図１】
2004142768.tif 000003
【図２】
2004142768.tif 000004
【図３】
2004142768.tif 000005
【図４】
2004142768.tif 000006
【図５】
2004142768.tif 000007
【図６】
2004142768.tif 000008
【図７】
2004142768.tif 000009
【図８】
2004142768.tif 000010
【図９】
2004142768.tif 000011
【図１０】
2004142768.tif 000012
【図１１】
2004142768.tif 000013
【図１２】
2004142768.tif 000014